(57)【要約】【課題】表示ユニットが収納されたケース内の熱を出来るだけケース外に放散させることによって、視認性が良好な表示装置を提供する。【解決手段】上取付ボス２０（取付部）と下取付ボス２２（取付部）を有する分割されたケース２（上ケース２Ａおよび下ケース２Ｂ）と、このケース２内に収納される液晶表示ユニット１（表示ユニット）と、上取付ボス２０と下取付ボス２２を固定するビス２４（固定手段）とを備えた表示装置であって、下取付ボス２２は熱伝導性の良いアルミニウムあるいは銅からなるとともに、ケース２の内外に露出する内露出面２８と外露出面２９を有する。【選択図】図１
2005049603.tif 000002
【特許請求の範囲】
【請求項１】
各々が取付部を有する分割されたケースと、このケース内に収納される表示ユニットと、前記取付部同士を固定する固定手段とを備えた表示装置であって、前記取付部の少なくとも一方は良熱伝導材からなるとともに、前記ケースの内外に露出する露出面を有していることを特徴とする表示装置。
【請求項２】
前記良熱伝導材からなる前記取付部は前記ケースと一体形成されていることを特徴とする請求項１に記載の表示装置。
【請求項３】
前記表示ユニットは放熱板を備えており、この放熱板が前記良熱伝導材に接触していることを特徴とする請求項１または請求項２に記載の表示装置。
【発明の詳細な説明】
【技術分野】
【０００１】
本発明は、表示ユニットが収納されるケースの取付部に良熱伝導材を用いた表示装置に関するものである。
【背景技術】
【０００２】
図３は表示素子として液晶を用いた液晶表示装置の断面図である。液晶表示装置は、液晶表示ユニット１と、この液晶表示ユニット１が収納されるケース２を有しており、液晶表示ユニット１は、ＴＦＴ型と称される液晶表示素子３と、この液晶表示素子３を照明するバックライト装置４と、液晶表示素子３やバックライト装置４が保持される合成樹脂製のホルダ５と、ホルダ５に液晶表示素子３やバックライト装置４を固定しておく金属製の押え枠６と、ホルダ５の背後に配置され液晶表示素子３の駆動や後述する光源を点灯させる電子部品７などが実装された回路基板８と、鋼材からなるシールドケース９などを備えている。なお、図示しないが液晶表示素子３と回路基板８とは電気的に接続されている。
【０００３】
バックライト装置４は、光源としての冷陰極管１０と、端面から内部に入射した冷陰極管１０からの光を液晶表示素子３の裏面側に導く無色透明の導光部材１１と、この導光部材１１の背後に配置された反射板１２と、液晶表示素子３と導光部材１１との間に配置された拡散シートやプリズムシートなどの光学シート１３からなる。このバックライト装置４により液晶表示素子３を背後から照明して、表示（例えば車両用の液晶表示装置の場合は、燃料残量，温度，メッセージなど）が良好に視認されるようにしてある。
【０００４】
また、液晶表示ユニット１には、硬質のメーン基板１４と、合成樹脂製の枠体１５が備えられている。前述した各部品が枠体１５内に収納され、詳細は図示しないが、メーン基板１４を枠体１５に固定することによってユニット化されている。メーン基板１４には液晶表示装置の電源回路用や液晶表示素子３に表示データを送る回路用の電子部品７Ａなどが実装されている。
【０００５】
ケース２は分割された上ケース２Ａと下ケース２Ｂで構成されており、上ケース２Ａは無色透明な合成樹脂からなる窓部１６と、不透過性（例えば黒色）の合成樹脂からなる覆い部１７とが一体形成されたものである。覆い部１７は前部１８と側部１９とからなる。また、上ケース２Ａの前部１８には略円柱状の上取付ボス２０が一体に設けられている。下ケース２Ｂは上ケース２Ａと同様に不透過性の合成樹脂からなり、底部２１と側部１９Ａを有する。また、下ケース２Ｂには上ケース２Ａに設けられた上取付ボス２０に対応して下ケース２Ｂ用の下取付ボス２２が底部２１から突設しており、底部２１側が開口された断面略円筒状となっている。
【０００６】
液晶表示ユニット１のケース２への組み付けは次のようにして行う。逆さにした上ケース２Ａ内の上取付ボス２０上に、上取付ボス２０に対応する箇所に設けた枠体１５の鍔部２３を載置した後、上ケース２Ａに下ケース２Ｂを重ね合わせる。すると、上ケース２Ａの側部１９と下ケース２Ｂの側部１９Ａとの合わせ目は隙間が生じないように嵌合されるとともに、上取付ボス２０と下取付ボス２２との位置が一致する。この状態で断面略円筒状の下取付ボス２２の開口空所内にビス２４を挿入して上取付ボス２０に締め付ける。この様に、枠体１５の鍔部２３が上取付ボス２０と下取付ボス２２とで挟まれた状態で液晶表示ユニット１がケース２内に収納固定される。
【発明の開示】
【発明が解決しようとする課題】
【０００７】
しかしながら、前述した液晶表示装置は、冷陰極管１０や回路基板８およびメーン基板１４に実装された電子部品７，７Ａなどから発生する熱（特に光源が冷陰極管１０の場合、冷陰極管１０を点灯させるインバータ回路部品であるトランスからの発熱が高い）によってケース２内の温度が上昇して、液晶表示素子３に表示ムラが発生するなど表示が見にくくなることがある。なお、液晶表示装置が外部にさらされるオートバイや農業機械などに備え付けられる場合には、特に防水や防塵の必要性からケース２の内外を連通する通気路などをケース２に設けることができず、さらに、前述した様に上ケース２Ａと下ケース２Ｂの合わせ目に隙間が生じないようにしてあるため、この様な傾向はより強い。
【０００８】
本発明はこの様な点に鑑みなされたもので、表示ユニットが収納されたケース内の熱を出来るだけケース外に放散させることによって、視認性が良好な表示装置を提供することを目的とする。
【課題を解決するための手段】
【０００９】
本発明は前記目的を達成するため、各々が取付部を有する分割されたケースと、このケース内に収納される表示ユニットと、前記取付部同士を固定する固定手段とを備えた表示装置であって、前記取付部の少なくとも一方は良熱伝導材からなるとともに、前記ケースの内外に露出する露出面を有するものである。
【００１０】
また、前記良熱伝導材からなる前記取付部は前記ケースと一体形成されているものである。
【００１１】
また、前記表示ユニットは放熱板を備えており、この放熱板が前記良熱伝導材に接触しているものである。
【発明の効果】
【００１２】
ケース内に籠もった熱が良熱伝導材からなるケースの取付部を伝わってケース外に放散されるため、表示素子の温度上昇を抑えて視認性が良好な表示装置を得ることができる。
【発明を実施するための最良の形態】
【００１３】
本発明を、車両用の液晶表示装置に適用した例を実施形態として説明するが、従来例と基本的な構成は同じため、同一または相当箇所には同一符号を付し、その詳細説明は省略する。図１は液晶表示装置の断面図であり、図２はケースの取付部を示す部分詳細図である。
【００１４】
本実施形態における下ケース２Ｂの下取付ボス２２（取付部）は、熱伝導性の良い材料であるアルミニウムあるいは銅などからなる。この下取付ボス２２は周壁２５と貫通孔２６が設けられた底壁２７を有する略円筒状で、下ケース２Ｂの底部２１側が開口された状態で下ケース２Ｂと一体形成されている。また、下取付ボス２２は下ケース２Ｂの底部２１から突出されている、つまり下ケース２Ｂの内外に露出する内露出面２８と外露出面２９を有している。
【００１５】
また、本実施形態における液晶表示ユニット１には、アルミニウム製の放熱板３０がシリコーンゴムからなる放熱シート３１を介してシールドケース９の背後に配置してある。放熱板３０は、上ケース２Ａに設けられた上取付ボス２０に対応して固定部３２が延設してあり、この固定部３２には下取付ボス２２の貫通孔２６と同心の貫通孔２６Ａが設けてある。なお、詳細は図示しないが、放熱板３０の背後に配置されるメーン基板１４を枠体１５に固定することによってこれらがユニット化されている。
【００１６】
液晶表示ユニット１のケース２への組み付けは従来例と同様にして行うが、本実施形態においては、上ケース２Ａの上取付ボス２０と下ケース２Ｂの下取付ボス２２との間には、枠体１５の鍔部２３と放熱板３０の固定部３２が挟まれた状態となる。そして、下取付ボス２２の開口空所内にビス２４を挿入して上取付ボス２０に締め付ける。
【００１７】
この様に、上ケース２Ａと下ケース２Ｂを固定するために設けられて（必要とされて）いる上取付ボス２０および下取付ボス２２の内、下取付ボス２２を熱伝導性の良い材料とすることにより、電子部品７，７Ａなどから発せられケース２内に籠もった熱が下取付ボス２２の内露出面２８から内部に伝わり外露出面２９から下ケース２Ｂの外部に放散される。従って、防水，防塵性を維持しながら、また別の箇所に放熱部を設けることなく、液晶表示素子３の温度上昇を抑えて視認性の良好な液晶表示装置を提供することができる。なお、下ケース２Ｂ用の下取付ボス２２のみ良熱伝導材としたが、上ケース２Ａ用の上取付ボス２０のみを良熱伝導材としても良く、あるいは上下取付ボス２０，２２を良熱伝導材としても良い。
【００１８】
また、良熱伝導材からなる下取付ボス２２（取付部）を下ケース２Ｂと一体形成したことにより、下ケース２Ｂの構成部品を少なくして液晶表示装置の組み付け作業性を容易とすることができる。
【００１９】
また、液晶表示ユニット１に放熱板３０を設け、この放熱板３０の固定部３２を熱伝導性の良い材料からなる下取付ボス２２と接触させるようにしたことにより、電子部品７，７Ａなどから発生する熱が放熱板３０から下取付ボス２２を伝わってケース２の外部により放散されやすくなり、ケース２内の温度上昇をより抑えることができる。なお、鋼材からなるシールドケース９と放熱板３０が放熱シート３１を介して合わさっているため、外部により放熱されやすくなっている。
【００２０】
なお、前記実施形態において、上ケース２Ａと下ケース２Ｂを固定するための固定手段としてビス２４を用いたがビス２４に限定するものではなく、例えば、フックを用いて上取付ボス２０と下取付ボス２２とが取付固定されるようにしても良い。また、良熱伝導材からなる下取付ボス２２（取付部）を下ケース２Ｂと一体形成したが、別体でも（分離可能となっていても）良い。
【００２１】
また、ケース２内に液晶表示ユニット１が収納されている液晶表示装置を実施形態として示したが、ケース２内には液晶表示ユニット１の他にアナログ式の速度計や回転計などが収納されていても良い。また、液晶以外の表示素子、例えば蛍光表示管を用いても良い。また、液晶表示ユニットを用いる場合、少なくとも液晶表示素子と、この液晶表示素子を照明する光源（冷陰極管１０に限らない）と、液晶表示素子表示用の電子部品などが実装された回路基板を備えておれば良く、実施形態で示したようなシールドケース９，枠体１５などは必要に応じて設ければ良い。
【図面の簡単な説明】
【００２２】
【図１】本発明の実施形態を示す液晶表示装置の断面図。
【図２】同液晶表示装置のケースの取付部を示す部分詳細図。
【図３】従来例を示す液晶表示装置の断面図。
【符号の説明】
【００２３】
１  液晶表示ユニット（表示ユニット）
２  ケース
２Ａ  上ケース
２Ｂ  下ケース
２０  上取付ボス（取付部）
２２  下取付ボス（取付部）
２４  ビス（固定手段）
２８  内露出面
２９  外露出面
３０  放熱板
【図１】
2005049603.tif 000003
【図２】
2005049603.tif 000004
【図３】
2005049603.tif 000005